【事件の表示】
　特許第２８６０２７９号「歯科情報処理方法及び装置」の請求項１乃至８に係る特許に対する特許異議の申立てについて、次のとおり決定する。
【結　論】
　特許第２８６０２７９号の請求項１乃至８に係る特許を取り消す。
【理　由】
１．手続の経緯
　特許第２８６０２７９号の請求項１乃至８に係る発明についての出願は、平成７年１１月９日に特許出願され、平成１０年１２月４日にその発明について特許の設定登録がなされ、その後、その全請求項に係る発明の特許について異議申立人株式会社モリタ、同山本正文、同株式会社浅野歯科産業及び同株式会社沖メディカル・システムズよりそれぞれ特許異議の申立てがなされ、取消理由通知がなされ、その指定期間内である平成１２年３月６日に訂正請求がなされた後、訂正拒絶理由が通知され、訂正拒絶理由通知に対して手続補正書が提出されたものである。
　
２．訂正の適否についての判断
　
ア．訂正請求に対する補正の適否について
　特許権者は、少なくとも、訂正請求書において、特許請求の範囲の請求項１の「少なくとも画面の一部に現在までの患者の口腔内の歯の状態を含む入力ガイダンス画面」を「現在までの患者の口腔内の歯の状態を画面の一部に含む入力ガイダンス画面」と訂正するとした訂正箇所を、更に「画面の一部に現在までの患者の口腔内の全体の歯の状態を列状に並行して図形表示する入力ガイダンス画面」へと変更する内容を含む補正を求めるものである。
　しかし、上記補正は、訂正内容に変更を加えるものであることから、訂正請求書の要旨を変更するものと認められ、特許法第１２０条の４第３項において準用する同法第１３１条第２項の規定に違反するものであり、採用できない。
　
イ．訂正明細書の請求項１乃至７に係る発明
　平成１２年３月６日付けで提出された訂正明細書の請求項１乃至７に係る発明は、その特許請求の範囲の請求項１乃至７に記載された事項により特定される次のとおりのものである。
【請求項１】患者毎の歯科治療情報を登録し、登録データを利用して患者に対する治療情報を入力可能な歯科情報処理装置であって、
　患者に対する治療情報を入力する入力手段と、
　患者毎の歯科治療情報を登録する登録手段と、
　前記登録手段に登録された患者毎の歯科治療情報を参照して当該治療を行なう患者の治療部位の状態を認識する認識手段と、
　前記認識手段の認識した当該治療を行なう患者の治療部位の状態に従って現在までの患者の口腔内の歯の状態を画面の一部に含む入力ガイダンス画面を表示する表示手段とを備え、
　前記入力手段より歯科治療情報を入力する際に前記表示手段が表示する入力ガイダンス情報を確認して歯科治療情報を入力可能とすることを特徴とする歯科情報処理装置。
【請求項２】前記表示手段が表示する歯の表示状態は、口腔内の全ての歯の少なくとも歯牙情報及び歯周の状態を視覚的に表示するものであることを特徴とする請求項１記載の歯科情報処理装置。
【請求項３】前記表示手段が表示する歯の状態表示として未治療歯、治療予定歯、治療中の歯、欠損歯、治療済みの歯を互いに区別可能に表示することを特徴とする請求項１又は２のいずれかに記載の歯科情報処理装置。
【請求項４】前記表示手段は、表示する歯の表示状態として併せて歯の根管数を視認可能に前記歯牙情報とともに表示することを特徴とする請求項３記載の歯科情報処理装置。
【請求項５】患者毎の歯科治療情報を登録する登録手段を備え、登録データを利用して患者に対する治療情報を入力可能な歯科情報処理装置における歯科情報処理方法であって、
　患者に対する治療情報を入力する際に前記登録手段に登録された患者毎の歯科治療情報を参照して当該治療を行なう患者の治療部位の状態を認識し、認識した当該治療を行なう患者の治療部位の状態に従って現在までの患者の口腔内の歯の状態を画面の一部に含む入力ガイダンス画面を表示し、前記表示入力ガイダンス情報を確認して歯科治療情報を入力可能とすることを特徴とする歯科情報処理方法。
【請求項６】前記入力ガイダンス画面は、口腔内の歯の少なくとも歯牙情報及び歯周の状態を視覚的に表示させ、未治療歯、治療予定歯、治療中の歯、欠損歯、有髄歯、無髄歯、治療済みの歯を互いに区別可能とすることを特徴とする請求項５記載の歯科情報処理方法。
【請求項７】前記入力ガイダンス画面における口腔内の表示情報は、併せて歯の根管数を視認可能に前記歯牙情報とともに表示するものであることを特徴とする請求項６記載の歯科情報処理方法。
　
ウ．引用刊行物記載の発明
（Ａ）これに対し、当審が通知した平成１２年８月２９日付けの訂正拒絶理由において引用した、本件特許の出願前に頒布された刊行物である特開平２−１２１６５７号公報（以下、「刊行物１」という。）には、歯科用の医療情報管理システムに関するものであって、
ａ）「本発明は、医療情報の中で特に歯科医で使用される歯牙の部位及び状態を表わすデータ管理において、各歯牙毎にデータの入力又は修正する際に表示手段上に指示マークを表出させる新規な医療情報管理システムに関する。」（第１頁左下欄第１８行〜右下欄第２行）、
ｂ）「本発明は、データを入力する入力手段と、該入力手段に接続され、種々のデータを処理する情報処理部と、該情報処理部に接続された内部メモリ、及び表示手段より成る医療情報処理装置において、前記内部メモリに格納された歯牙の形状及び状態を各歯牙毎に前記表示装置の画面上に表示すると共に該歯牙状態に対応するデータの入力時又は修正時の指示用に移動可能な指示マークを前記画面上に表示させ、カーソル移動キーの押下によって所定部位を選択する構成である。」（第２頁左上欄第１２行〜右上欄第１行）、
ｃ）「図面において、（１）は入力手段としてのキーボード、（２）は情報処理部、（３）は部位判定部、（４）は表示手段としてのＣＲＴディスプレイ、（５）はプリンタ、（６）は患者固有情報ファイル、（７）は口腔情報ファイル（８）、データポインタ（９）及び画面ポインタ（１０）が格納される内部メモリ、（１１）はフロッピーディスク等の外部メモリ、（１２）は演算処理部、（１３）は指定用の矢印を示す。」（第２頁右上欄第１５行〜左下欄第２行）、
ｄ）「ＣＲＴディスプレイ（４）の画面上に第１図に示す歯牙の状態図を表示させて、診療及び処置を行った結果を順次キーインする。画面上には指示マークとしての矢印（１３）が現われ、当該患者の１歯牙毎に第３図に示す「歯牙の状態」、「最終処理」、「算定日付」、「病名」及び「罹患日付」をキーインし、上下左右合計３２歯分が口腔情報ファイル（８）に格納される。
　オペレータとしては画面で視覚的に実際に患者の口腔をのぞいているように対象部位を選択できる。前記キーボード（１）から入力されたデータは情報処理部を介して各々患者固有情報ファイル（７）及び口腔情報ファイル（８）に格納され、部位判定部（３）により上記キーボード（１）からのカーソル移動キー「←」、「→」、「↑」、「↓」の押下に対応して格納され、又ＣＲＴディスプレイ（４）上に表示される。」（第２頁左下欄第１１行〜右下欄第７行）、
ｅ）「前記矢印を所望の位置に設定すると、その歯番の位置がブリンク（点滅）し、第１図の右に示した各データを入力する場合、次の手順による。
　(１)永久歯か乳歯か（永久歯は０を入力、乳歯は１）をキーインする。
　(２)根管数を１〜４で指定、（第１図図示の例で歯番表示の左右の数字）する。
　(３)生活歯か失活歯か（生活歯は０、失活歯は１）をキーインする。
　(４)欠損のときは１をキーインする。
　(５)分割抜歯は１をキーインする。
　以上の手順は前記矢印で歯牙を指定して「入力」キーを押下すると、各々カーソルが(１)〜(５)に順次移動し、各々の歯牙の状態がキーインに応じて図形表示される。
　一方「末梢」キーを押下すると、指定した歯牙に未崩出歯（乳歯で欠損）のデータが設定される。」（第３頁左下欄第１８行〜右下欄第１６行）、
と記載され、
ｆ）第１図には、医療情報管理システムのＣＲＴディスプレイに表示される画面が示され、上側の辺に沿って患者名等の情報が表示され、中央左側には歯の模式図が示され、中央右側のボックス内には、「生活歯」、「失活歯」、「欠損」などの歯の状態を表す絵記号等が示され、下側の辺に沿ってコメント形式で入力指示等が示されている。
（Ｂ）同じく引用した、本件特許の出願前に頒布された刊行物である「歯科コンピュータカタログ、ｄｅｎｔａｌ　ｃｏｍｐｕｔｅｒ　’９５」日本歯科新聞社、平成７年９月１日発行（以下、「刊行物２」という。）には、歯科情報処理装置に関するものであって、株式会社ミック作成の歯科情報処理装置「プレストＳＶ」カタログが掲載された第２７頁及び第２８頁（刊行物２の表紙の次の頁から数えた頁番号）には、
ａ）歯科情報処理装置「プレストＳＶ」は、『入力手段』（キーボード）及び『表示手段』（ディスプレイ装置）を備えること、
ｂ）ディスプレイ装置には、『現在までの患者の口腔内の歯の状態』を示す画面が表示され、その表示画面の中央に、口腔内のすべての歯を示す模式図が各歯に対応する絵記号として表示されること、
ｃ）上記『現在までの患者の口腔内の歯の状態』を表示する画面には『歯の状態表示』として、「不明」、「生活」、「失活」、「欠損」、「治療中」、「治療済」等を上記模式図中で表すための関連付けが画面上部の中央ボックス内でなされると共に、上記模式図中に、治療中の歯に対応する絵記号が赤で、治療済みの歯に対応する絵記号が青でそれぞれ表示された例、
ｄ）上記模式図の上方と下方のそれぞれには、３個の横に並んだボックスが表示されており、上方の３個のボックスは上顎の歯周（歯茎）を３つに区分し、下側の３個のボックスは下顎の歯周（歯茎）を３つに区分して、『歯周情報』を視覚的に表示し得るようにしている（この表示画面中では、６個のボックスすべてに「未」という文字が表示されている。）こと、
がそれぞれ示されており、
　また、株式会社モリタ作成の歯科情報処理装置「ＤＯＣ−５」カタログが掲載された第３７頁（同じく、刊行物２の表紙の次の頁から数えた頁番号）には、
ｅ）歯科情報処理装置「ＤＯＣ−５」が、『入力手段』（キーボード）、『表示手段』（ディスプレイ）、『登録手段』（ディスクドライブ）、『認識手段』（本体）を備えること、
ｆ）ＤＯＣ−５のディスプレイに表示される３種類の例示画面のうちの中央の画面には、『現在までの患者の口腔内の歯の状態』及び各歯に対応する絵記号からなる歯の模式図が表示され、その模式図中では、各歯に対応する絵記号の色を変化させて【疾病】や【根管治療】を表示（例えば、虫歯（Ｃ）は黄色で表示）すると共に、「１根」から「４根」に対応する絵記号を付加することにより根管数の情報を表示すること、更に、この『現在までの患者の口腔内の歯の状態』の例示画面中の『歯の表示状態』に関し、【疾病】として、「健全歯」、「Ｃ」、「Ｐｕｌ」、「Ｐｅｒ」、「その他」及び「欠損」が含まれること、また、【根管治療】として、「生切」、「失切」、「抜髄」、「感染根処」、「根管貼薬」及び「根充済み」が含まれること、
がそれぞれ示されている。
　
エ．対比・判断
（Ａ）訂正明細書の請求項１に係る発明について
　訂正明細書の請求項１に係る発明と刊行物１記載の発明とを対比すると、
後者の「歯科医で使用される歯牙の部位及び状態を表わすデータ管理において、各歯牙毎にデータの入力又は修正する・・・医療情報管理システム」、「データを入力する入力手段」、「入力手段に接続され、種々のデータを処理する情報処理部と、該情報処理部に接続された内部メモリ」、「内部メモリに格納された歯牙の形状及び状態を各歯牙毎に前記表示装置の画面上に表示する」ための手段、「上側の辺に沿って患者名等の情報が表示され、中央左側には歯の模式図が示され、中央右側のボックス内には、「生活歯」、「失活歯」、「欠損」などの歯の状態を表す絵記号等が示され、下側の辺に沿ってコメント形式で入力指示等が示されている画面（第１図の画面）を表示するＣＲＴディスプレイ」が、それぞれ前者の「患者毎の歯科治療情報を登録し、登録データを利用して患者に対する治療情報を入力可能な歯科情報処理装置」、「患者に対する治療情報を入力する入力手段」、「患者毎の歯科治療情報を登録する登録手段」、「登録手段に登録された患者毎の歯科治療情報を参照して・・・患者の治療部位の状態を認識する認識手段」、「認識手段の認識した当該治療を行なう患者の治療部位の状態に従って現在までの患者の口腔内の歯の状態を画面の一部に含む入力ガイダンス画面を表示する表示手段」に相当している。
　また、後者の「矢印を所望の位置に設定すると、その歯番の位置がブリンク（点滅）し、第１図の右に示した各データを入力する場合、次の手順による。(１)永久歯か乳歯か（永久歯は０を入力、乳歯は１）をキーインする。(２)根管数を１〜４で指定、（第１図図示の例で歯番表示の左右の数字）する。(３)生活歯か失活歯か（生活歯は０、失活歯は１）をキーインする。(４)欠損のときは１をキーインする。(５)分割抜歯は１をキーインする。以上の手順は前記矢印で歯牙を指定して「入力」キーを押下すると、各々カーソルが(１)〜(５)に順次移動し、各々の歯牙の状態がキーインに応じて図形表示される。」とする一連の入力手法が、前者の「入力手段より歯科治療情報を入力する際に前記表示手段が表示する入力ガイダンス情報を確認して歯科治療情報を入力可能とする」に相当している。
　したがって、両者は、
「患者毎の歯科治療情報を登録し、登録データを利用して患者に対する治療情報を入力可能な歯科情報処理装置であって、
　患者に対する治療情報を入力する入力手段と、
　患者毎の歯科治療情報を登録する登録手段と、
　前記登録手段に登録された患者毎の歯科治療情報を参照して患者の治療部位の状態を認識する認識手段と、
　前記認識手段の認識した患者の治療部位の状態に従って現在までの患者の口腔内の歯の状態を画面の一部に含む入力ガイダンス画面を表示する表示手段とを備え、
　前記入力手段より歯科治療情報を入力する際に前記表示手段が表示する入力ガイダンス情報を確認して歯科治療情報を入力可能とすることを特徴とする歯科情報処理装置。」で一致し、
　認識手段の認識対象となる患者に関し、訂正明細書の請求項１に係る発明が、「当該治療を行なう」患者としているのに対し、上記刊行物１記載の発明は、「診療及び処置を行った結果を順次キーインする」ものであるところから、「当該治療を行なった」患者を対象としている点で相違する。
  以下、上記相違点について検討する。
　ところで、上記相違点を、認識手段の認識処理を行う時期という観点で捉えると、訂正明細書の請求項１に係る発明が、歯科治療に先だって行うものであるのに対し、上記刊行物１記載の発明は、歯科治療を施した後に行うものであるという点で相違するものと解釈できる。
　一般に、コンピュータシステムにおいて、所定の処理を実行するタイミングは、使用者がキーボード等の入力手段を介して所定の入力操作をすることに基いて行われるものであるから、当該処理を行う時期は、コンピュータシステム自体に何等構造上の変更を加えることなく使用者が適宜決定し得るものである。
  さらに、コンピュータシステムを採用した歯科情報処理装置においても、所定の処理を如何なる時点で実施するかは、例えば、医師が将に行なおうとしている治療行為の参考にしようとするのであれば、歯科治療に先だって行えば良く、一方、カルテの作成あるいはレセプト（保険医療報告）の作成のために使用しようとするのであれば、歯科治療が確実に施された後に行えば良いというように、同じ構造を有する歯科情報処理装置であっても、その使用目的に応じて任意に選定しうる事項にすぎない。
　そうすると、上記刊行物１記載の歯科情報処理装置において、認識手段の認識処理を、特に「治療を施した後」以外の時期には行えないとする根拠が何等見出せない以上、該処理を患者に対する歯科治療に先だって、即ち、「当該治療を行なう」患者を対象として、実施するように改変することは、当業者であれば容易になし得ることと認められる。
　そして、訂正明細書の請求項１に係る発明の奏する効果は、上記刊行物１記載の発明から当業者が予測し得る範囲内のものにすぎない。
  したがって、訂正明細書の請求項１に係る発明は、上記刊行物１記載の発明に基いて当業者が容易に想到し得たものである。
（Ｂ）訂正明細書の請求項２に係る発明について
  訂正明細書の請求項２に係る発明は、訂正明細書の請求項１に係る発明に、「表示手段が表示する歯の表示状態は、口腔内の全ての歯の少なくとも歯牙情報及び歯周の状態を視覚的に表示する」という点をさらに限定したものである。
  しかしながら、上記刊行物１の第１図に示す表示画面は、口腔内の全ての歯の少なくとも歯牙情報を視覚的に表示するようになっており、さらに、上記刊行物２には、口腔内の全ての歯の歯牙情報と共に歯周の状態を視覚的に表示し得るようにしたものが開示されている以上、表示手段における歯の表示状態を上記の如く限定することは、当業者にとって容易である。
  したがって、訂正明細書の請求項２に係る発明は、上記刊行物１及び２に記載の発明に基いて当業者が容易に想到し得たものである。
（Ｃ）訂正明細書の請求項３に係る発明について
  訂正明細書の請求項３に係る発明は、訂正明細書の請求項１または２に係る発明に、「表示手段が表示する歯の状態表示として未治療歯、治療予定歯、治療中の歯、欠損歯、治療済みの歯を互いに区別可能に表示する」という点をさらに限定したものである。
　しかしながら、上記刊行物２の第２７〜２８頁には、「治療中」、「欠損」、「治療済」等を模式図中で表するものが示されており、このものは、歯の状態表示として治療中の歯、欠損歯、治療済みの歯を互いに区別可能に表示しているものである。さらに、同刊行物の第３７頁に示されたものには、疾患のある歯、例えば、虫歯（虫歯はＣで表す）が区別可能に表示されており、この虫歯が、未治療歯及び治療予定歯に対応することは明らかである。
  そうすると、歯科情報処理装置の表示手段において、上記の限定した点は、当業者が必要に応じて適宜採用し得る程度のものと認められる。
  したがって、訂正明細書の請求項３に係る発明は、上記刊行物１及び２に記載の発明に基いて当業者が容易に想到し得たものである。
（Ｄ）訂正明細書の請求項４に係る発明について
  訂正明細書の請求項４に係る発明は、訂正明細書の請求項３に係る発明に、「表示手段は、表示する歯の表示状態として併せて歯の根管数を視認可能に前記歯牙情報とともに表示する」という点をさらに限定したものであるが、上記刊行物１には、歯の根管数を１〜４の数字で示して歯牙情報とともに表示する点が、また、上記刊行物２の第３７頁には、歯の根管数を「１根」から「４根」に対応する絵記号で示して歯牙情報とともに表示する点が開示されており、これらの刊行物に記載の発明は、何れも歯の根管数を視認可能にして歯牙情報とともに表示するものといえる。
  したがって、訂正明細書の請求項４に係る発明は、上記刊行物１及び２に記載の発明に基いて当業者が容易に想到し得たものである。
（Ｅ）訂正明細書の請求項５に係る発明について
  訂正明細書の請求項５に係る発明は、訂正明細書の請求項１に係る物の発明を単に方法の発明として捉えたものであるが、上記刊行物１及び２に記載の歯科情報処理装置も歯科情報処理方法として捉え得ることは明らかであるから、訂正明細書の請求項１に係る発明と同様に、上記刊行物１及び２に記載の発明に基いて当業者が容易に想到し得たものである。
（Ｆ）訂正明細書の請求項６に係る発明について
  訂正明細書の請求項６に係る発明は、訂正明細書の請求項２及び３に係る物の発明を統合して方法の発明として捉えると共に、「未治療歯、治療予定歯、治療中の歯、欠損歯、治療済みの歯」に「有髄歯、無髄歯」をも加えて区別可能としたものであるが、発明のカテゴリーの相違については上記（Ｅ）で述べたとおりであり、また、「有髄歯、無髄歯」をも区別可能とすることについては、上記刊行物２の第３７頁に「抜髄」の状態表示が可能なものとして開示されているところである。
　したがって、訂正明細書の請求項６に係る発明は、訂正明細書の請求項２及び３に係る発明と同様に、上記刊行物１及び２に記載の発明に基いて当業者が容易に想到し得たものである。
（Ｇ）訂正明細書の請求項７に係る発明について
　訂正明細書の請求項７に係る発明は、訂正明細書の請求項６に係る発明に、「入力ガイダンス画面における口腔内の表示情報は、併せて歯の根管数を視認可能に前記歯牙情報とともに表示する」という点をさらに限定したものであるが、口腔内の表示情報に関し、歯の根管数を歯牙情報とともに視認可能にすることは、上記（Ｄ）で述べたように上記刊行物１及び２に開示されているところである。
　したがって、訂正明細書の請求項７に係る発明は、訂正明細書の請求項６に係る発明と同様に、上記刊行物１及び２に記載の発明に基いて当業者が容易に想到し得たものである。
　よって、訂正明細書の請求項１乃至７に係る発明は、いずれも、刊行物１及び２に記載された発明に基いて当業者が容易に発明をすることができたものであり、特許法第２９条第２項の規定により特許出願の際独立して特許を受けることができないものである。
　
オ．むすび
　以上のとおりであるから、上記訂正は特許法第１２０条の４第３項で準用する同法第１２６条第４項の規定に適合しないので、当該訂正は認められない。
　
３．特許異議申立てについて
　
ア．本件発明
　特許第２８６０２７９号の請求項１乃至８に係る発明（以下、「本件発明１乃至８」という。）は、特許請求の範囲の請求項１乃至８に記載された事項により特定される次のとおりのものである。
【請求項１】患者毎の歯科治療情報を登録し、登録データを利用して患者に対する治療情報を入力可能な歯科情報処理装置であって、
　患者に対する治療情報を入力する入力手段と、
　患者毎の歯科治療情報を登録する登録手段と、
　前記登録手段に登録された患者毎の歯科治療情報より当該治療を行う患者の治療状態を認識する認識手段と、
　前記認識手段の認識結果に従って少なくとも画面の一部に現在までの患者の口腔内の歯の状態を含む入力ガイダンス画面を表示する表示手段とを備え、
　前記入力手段より歯科治療情報を入力する際に前記表示手段が表示する入力ガイダンス情報を確認して歯科治療情報を入力可能とすることを特徴とする歯科情報処理装置。
【請求項２】前記表示手段が表示する歯の表示状態は、口腔内の全ての歯の少なくとも歯牙情報及び歯周情報を視覚的に表示するものであることを特徴とする請求項１記載の歯科情報処理装置。
【請求項３】前記表示手段が表示する歯の状態表示として未治療歯、治療予定歯、治療中の歯、欠損歯、治療済みの歯を互いに区別可能に表示することを特徴とする請求項１又は２のいずれかに記載の歯科情報処理装置。
【請求項４】前記表示手段は、表示する歯の表示状態として併せて歯の根管数を視認可能に前記歯牙情報とともに表示することを特徴とする請求項３記載の歯科情報処理装置。
【請求項５】前記表示手段は、入力ガイダンス画面に前記登録手段の登録情報より治療中の歯を入力候補として優先的に表示させることを特徴とする請求項１乃至４のいずれかに記載の歯科情報処理装置。
【請求項６】患者毎の歯科治療情報を登録する登録手段を備え、登録データを利用して患者に対する治療情報を入力可能な歯科情報処理装置における歯科情報処理方法であって、
　患者に対する治療情報を入力する際に前記登録手段に登録された患者毎の歯科治療情報より当該治療を行う患者の治療状態を認識し、認識結果に従って少なくとも画面の一部に現在までの患者の口腔内の歯の状態を含む入力ガイダンス画面を表示し、前記表示入力ガイダンス情報を確認して歯科治療情報を入力可能とすることを特徴とする歯科情報処理方法。
【請求項７】前記入力ガイダンス画面は、口腔内の歯の少なくとも歯牙情報及び歯周情報を視覚的に表示させ、未治療歯、治療予定歯、治療中の歯、欠損歯、有髄歯、無髄歯、治療済みの歯を互いに区別可能とすることを特徴とする請求項６記載の歯科情報処理方法。
【請求項８】前記入力ガイダンス画面における口腔内の表示情報は、併せて歯の根管数を視認可能に前記歯牙情報とともに表示するものであることを特徴とする請求項７記載の歯科情報処理方法。
　
イ．引用刊行物記載の発明
　当審が通知した平成１１年１２月１５日付けの取消理由において刊行物７として引用した特開平２−１２１６５７号公報（訂正拒絶理由において引用した上記刊行物１と同じ。）、及び、同じく刊行物６として引用した「歯科コンピュータカタログ、ｄｅｎｔａｌ　ｃｏｍｐｕｔｅｒ　’９５」日本歯科新聞社、平成７年９月１日発行（訂正拒絶理由において引用した上記刊行物２と同じ。）には、上記２．ウ．（Ａ）及び（Ｂ）に述べたとおりの発明がそれぞれ記載されている。
　
ウ．対比・判断
（Ａ）本件発明１、２、３、４、６、７及び８について
　本件発明１、２、３、４、６、７及び８を特定する事項は、上記訂正明細書の請求項１、２、３、４、５、６及び７に係る発明にそれぞれ実質的に全て含まれているものであるから、本件発明１、２、３、４、６、７及び８についても、上記２．エ．と同様の理由により、上記刊行物７及び刊行物６記載の発明に基いて当業者が容易に発明をすることができたものと認められる。
（Ｂ）本件発明５について
　本件発明５は、本件発明１乃至４に「表示手段は、入力ガイダンス画面に登録手段の登録情報より治療中の歯を入力候補として優先的に表示させる」という構成を更に限定したものであるが、かかる構成は、上記刊行物６の第２７頁及び第２８頁に、表示画面の模式図中の治療中の歯に対応する絵記号が赤で示されるようにした態様（上記２．ウ．（Ｂ）ｃ）参照。）として開示されているところである。
　したがって、本件発明５についても、上記２．エ．と同様の理由により、上記刊行物７及び刊行物６記載の発明に基いて当業者が容易に発明をすることができたものと認められる。
　
エ．むすび
　以上のとおり、本件発明１乃至８は、いずれも、上記各刊行物に記載された発明に基いて当業者が容易に発明をすることができたものであるから、本件発明１乃至８についての特許は、特許法第２９条第２項の規定に違反してなされたものであり、同法第１１３条第２号に該当し、取り消されるべきものである。
　よって、結論のとおり決定する。
【異議決定日】
平成１３年３月１日（２００１．３．１）